(57)【要約】  本発明は、送達装置のための締付装置に基づき、送達装置の少なくとも１つの可撓性管送達要素（１６、１８）を挟み込むための少なくとも１つの挟み込みユニット（１４）を備え、媒体を送達するために、少なくとも可撓性管送達要素（１６、１８）が挟み込みユニット（１４）内に配置された状態で、送達装置の駆動ユニット（２０）を用いて駆動力を前記可撓性管送達要素（１６、１８）に加えることができる。挟み込みユニット（１４）は、可撓性管送達要素（１６、１８）の送達方向（２２、２４）に対して横断する方向に延びる断面において、可撓性管送達要素（１６、１８）が全体として湾曲するような方法で可撓性管送達要素（１６、１８）を締め付けるように構成され、挟み込みユニット（１４）は少なくとも１つの締付要素（２８、３０）を含み、少なくとも１つの締付要素（２８、３０）は、具体的には駆動ユニット（２０）の駆動要素（２６）と異なり、かつ、可撓性管送達要素（１６、１８）に対して当接面を提供する凸状当接要素（３２）を有し、挟み込みユニット（１４）は少なくとも締付要素（２８、３０）を含み、締付要素（２８、３０）は少なくとも１つの傾斜した締付面（４８、５０）を有するとともに、少なくとも１つの接着要素（７０、７２）を含み、少なくとも１つの接着要素（７０、７２）は締付要素（２８、３０）の締付面（４８、５０）に配置される。
2019520945.tif 000002
【特許請求の範囲】
【請求項１】
送達装置のための締付装置であって、前記送達装置の少なくとも１つの可撓性管送達要素（１６、１８）を挟み込むための少なくとも１つの挟み込みユニット（１４）を備えており、媒体を送達するために、少なくとも前記可撓性管送達要素（１６、１８）が前記挟み込みユニット（１４）内に配置された状態で、前記送達装置の駆動ユニット（２０）を用いて駆動力を前記可撓性管送達要素（１６、１８）に加えることができる、締付装置において、
前記挟み込みユニット（１４）は、前記可撓性管送達要素（１６、１８）の送達方向（２２、２４）に対して横断する方向に延びる断面において、前記可撓性管送達要素（１６、１８）が全体として湾曲するような方法で、前記可撓性管送達要素（１６、１８）を締め付けるように構成されており、
前記挟み込みユニット（１４）は少なくとも１つの締付要素（２８、３０）を含み、前記少なくとも１つの締付要素（２８、３０）は、具体的には前記駆動ユニット（２０）の駆動要素（２６）とは異なり、かつ、前記可撓性管送達要素（１６、１８）のために当接面を形成する凸状当接要素（３２）を有しており、
前記挟み込みユニット（１４）は少なくとも前記締付要素（２８、３０）を含み、前記締付要素（２８、３０）は少なくとも１つの傾斜した締付面（４８、５０）を有しており、
前記締付要素（２８、３０）は少なくとも１つの接着要素（７０、７２）を含み、前記少なくとも１つの接着要素（７０、７２）は前記締付要素（２８、３０）の締付面（４８、５０）に配置されることを特徴とする、締付装置。
【請求項２】
前記挟み込みユニット（１４）は少なくとも前記締付要素（２８、３０）を含み、前記締付要素（２８、３０）は、具体的には前記駆動ユニット（２０）の駆動要素（２６）と異なるように構成され、かつ、前記凸状当接要素（３２）を含み、前記凸状当接要素（３２）は前記可撓性管送達要素（１６、１８）のために前記当接面を形成し、前記凸状当接要素（３２）は凹状陥没部（３４）を少なくとも一部の領域内に含むことを特徴とする、請求項１に記載の締付装置。
【請求項３】
前記可撓性管送達要素（１６、１８）の送達方向（２２、２４）に対して横断する方向に延びる断面において、前記凸状当接要素（３２）の凹状陥没部（３４）は、前記凸状当接要素（３２）の３つの円弧状部（３６、３８、４０）によって範囲を定められ、前記３つの円弧状部（３６、３８、４０）は前記凸状当接要素（３２）の一部の領域内に配置され、互いに直接繋がることを特徴とする、請求項２に記載の締付装置。
【請求項４】
前記挟み込みユニット（１４）は、少なくとも前記締付要素（２８、３０）および少なくとも１つのさらなる締付要素（４２、４４）を含み、前記少なくとも１つのさらなる締付要素（４２、４４）は、前記締付要素（２８、３０）と一緒に作用し、かつ、少なくとも１つの凹状陥没部（４６）の範囲を定め、前記締付要素（２８、３０）の少なくとも凸状当接要素（３２）は、前記締付要素（２８、３０）および前記さらなる締付要素（４２、４４）が互いに連結された状態で、前記少なくとも１つの凹状陥没部（４６）内で少なくとも一部を係合することを特徴とする、請求項１〜３のいずれか一項に記載の締付装置。
【請求項５】
前記挟み込みユニット（１４）は、少なくとも前記締付要素（２８、３０）および少なくとも１つのさらなる締付要素（４２、４４）を含み、前記少なくとも１つのさらなる締付要素（４２、４４）は前記締付要素（２８、３０）と一緒に作用し、前記締付要素（２８、３０）および前記さらなる締付要素（４２、４４）は、それぞれが少なくとも１つの傾斜した締付面（４８、５０、５２、５４）を含み、前記傾斜した締付面（４８、５０、５２、５４）は互いに対応するように構成されることを特徴とする、請求項１〜４のいずれか一項に記載の締付装置。
【請求項６】
前記さらなる締付要素（４２、４４）の少なくとも前記傾斜した締付面（５２、５４）は、少なくとも１つの凹状陥没部（４６）を含み、前記可撓性管送達要素（１６、１８）は少なくとも１つが締め付けられた状態で前記少なくとも１つの凹状陥没部（４６）の中に少なくとも一部を突起することを特徴とする、請求項５に記載の締付装置。
【請求項７】
請求項１〜６のいずれか一項に記載の少なくとも１つの締付装置を備える送達装置であって、少なくとも１つの可撓性管送達要素（１６、１８）を備え、かつ、前記可撓性管送達要素（１６、１８）に作用する駆動力を発生するために少なくとも１つの駆動ユニット（２０）を備える、送達装置。
【請求項８】
前記挟み込みユニット（１４）は、少なくとも前記締付要素（２８、３０）および少なくとも１つのさらなる締付要素（４２、４４）を含み、前記少なくとも１つのさらなる締付要素（４２、４４）は前記締付要素（２８、３０）と一緒に作用し、かつ、少なくとも１つの凹状陥没部（４６）の範囲を定め、前記駆動ユニット（２０）の少なくとも前記駆動要素（２６）は前記少なくとも１つの凹状陥没部（４６）の中に少なくとも一部を係合することを特徴とする、請求項７に記載の送達装置。
【発明の詳細な説明】
【技術分野】
【０００１】
本発明は請求項１の前提部分に記載の締付装置に関する。
【背景技術】
【０００２】
（特許文献１）から、送達装置のための締付装置はすでに公知である。この公知の送達装置は、送達装置の可撓性管送達要素を挟み込むための少なくとも１つの挟み込みユニットを含み、媒体を送達するために、少なくとも可撓性管送達要素が挟み込みユニット内に配置された状態で、送達装置の駆動ユニットを用いて駆動力を可撓性管送達要素に与えることができる。
【０００３】
さらに、（特許文献２）、（特許文献３）、（特許文献４）および（特許文献５）から、少なくとも送達媒体を搬送するための送達装置がすでに公知であり、そのような送達装置は、厳密なやり方で具現化され、かつ、搬送空間の範囲の少なくとも一部を定める少なくとも１つの搬送空間要素を含み、また、膜要素として構成され、搬送空間要素と一緒に搬送空間の範囲を定める少なくとも１つの弾性的に変形可能な搬送要素を含む。搬送要素は、可撓性管搬送要素とは異なるように構成され、搬送空間要素に固着される。
【先行技術文献】
【特許文献】
【０００４】
【特許文献１】欧州特許出願公開第１８３４６５８号明細書
【特許文献２】欧州特許第１３１７６２６号明細書
【特許文献３】独国特許出願公開第１０２０１４１１８９２４号明細書
【特許文献４】独国特許出願公開第１０２０１４１１８９２５号明細書
【特許文献５】独国特許出願公開第１０２０１４１１８９２６号明細書
【発明の概要】
【発明が解決しようとする課題】
【０００５】
本発明の目的は、具体的には可撓性管送達要素の緩やかな締付に関して改良された特徴を有する包括的な装置、ならびに可撓性管送達要素の締付による媒体の効果的な送達を提供することである。本発明により、この目的は請求項１の特徴によって達成される一方で、本発明の有利な構成およびさらなる展開を従属請求項から得ることができる。
【課題を解決するための手段】
【０００６】
本発明は、送達装置の少なくとも１つの可撓性管送達要素を挟み込むための少なくとも１つの挟み込みユニットを備える送達装置のための締付装置に基づき、媒体を送達するために、少なくとも前記可撓性管送達要素が挟み込みユニット内に配置された状態で、送達装置の駆動ユニットを用いて駆動力を可撓性管送達要素に付与することができる。
【０００７】
挟み込みユニットは、可撓性管送達要素の送達方向に対して横断する方向に延びる断面において、可撓性管送達要素が全体として湾曲するような方法で可撓性管送達要素を締め付けるように構成される。挟み込みユニットは少なくとも１つの締付要素を含み、締付要素は具体的には駆動ユニットの駆動要素とは異なり、かつ、可撓性管送達要素に対して当接面を提供する凸状当接要素を含む。挟み込みユニットは少なくとも締付要素を含み、締付要素は少なくとも１つの傾斜した締付面を有するとともに、締付要素の締付面に配置された少なくとも１つの接着要素を含む。「構成される」とは、具体的には特別に設計され、かつ／または特別に具備することを意味する。要素および／またはユニットがある特定の機能のために構成されるとは、具体的には要素および／またはユニットがある特定の機能を少なくとも１つの適用状態および／または作動状態で遂行し、かつ／または実施すると理解される。
【０００８】
「可撓性管送達要素が湾曲するような方法で挟み込まれる」とは、具体的には挟み込みユニット内の可撓性管送達要素の全体としての配置を意味する。可撓性管送達要素は、好ましくは互いに離れる方向に２つの周囲領域を備え、挟み込みユニットの締付要素とさらなる締付要素との間に固着され、また少なくとも１つの部分領域内で、具体的には挟み込みユニットに少なくとも実質的に締付面の接触がない、少なくとも１つの部分領域内で湾曲する。好ましくは可撓性管送達要素が挟み込みユニット内に全体が配置された状態で、可撓性管送達要素の少なくとも１つの部分領域は、挟み込みユニットに少なくとも実質的に締付面の接触がなく、湾曲した形で、具体的には挟み込みユニットの少なくとも１つまたは複数の凸状および／もしくは凹状要素の影響下で配置される。可撓性管送達要素の送達方向に対して横断する方向に延びる断面において、可撓性管送達要素は、その全延長部にわたって、または部分領域内のみで湾曲するような方法で挟み込みユニット内に、具体的には挟み込みユニットに少なくとも実質的に締付面の接触がない、少なくとも１つの部分領域内に、具体的には可撓性管送達要素の送達のない状態で配置されてもよい。好ましくは挟み込みユニットが挟み込む際、可撓性管送達要素の送達方向に対して横断する方向に延びる断面において、可撓性管送達要素は円形形状から始まり、湾曲形状、具体的には弧状形状に移り、その形状で可撓性管送達要素の内壁領域が互いに当接する。好ましくは可撓性管送達要素の内壁の総延長の少なくとも３０％超、好ましくは少なくとも５０％超、特に好ましくは少なくとも７０％超は、可撓性管送達要素が挟み込みユニットによって締め付けられた状態で、可撓性管送達要素の送達のない状態で互いに当接する。好ましくは可撓性管送達要素の内壁の総延長の少なくとも５％超、好ましくは少なくとも１０％超、特に好ましくは少なくとも２０％超は、可撓性管送達要素が挟み込みユニットによって挟み込まれた状態で、可撓性管送達要素の送達のない状態で対向する内壁と接触しない。「送達のない状態（ｆｏｅｒｄｅｒｆｒｅｉｅｎ  Ｚｕｓｔａｎｄ）」とは、具体的には可撓性管送達要素が、可撓性管送達要素を通して媒体を送達するための駆動力の作用から切り離されると理解される状態である。媒体を送達するために、対向する内壁領域と接触しない内壁領域は、弾性的に変形可能に構成される。
【０００９】
可撓性管送達要素は、具体的には挟み込みユニットから分離した状態で環形状断面を有することが好ましい。しかし可撓性管送達要素は、当業者により適切であるとみなされる異なる断面、例えば横突起部を備えた環形状断面、または多角形の断面などを有することも考えられる。挟み込みユニットは、可撓性管送達要素の送達方向に対して横断する方向に延びる断面において、可撓性管送達要素を全体として少なくとも実質的に弧状形状の形で締め付けるように構成されることが好ましく、具体的には可撓性管送達要素の、対向する内壁は互いに当接する。特に好ましくは、可撓性管送達要素は挟み込みユニットによって締め付けられた状態で、可撓性管送達要素の少なくとも中間領域に弧状形状を有し、可撓性管送達要素の周囲領域は中間領域に隣接し、中間領域内で具体的には可撓性管送達要素の内壁の全延長の少なくとも５０％超は互いに当接し、周囲領域は中間領域から始まり、中間領域から離れて接線方向に延在する。しかし周囲領域は、中間領域から始まり、中間領域の半径に対応して中間領域から離れて延在することも考えられる。可撓性管送達要素は、好ましくは挟み込みユニットによって締め付けられた状態で、その各周囲領域において、可撓性管送達要素の湾曲がその最大であるそれぞれの屈曲点に１つの頂点を有する。好ましくは、可撓性管送達要素は、挟み込みユニットによって締め付けられた状態で、それぞれの屈曲点に５つの頂点を有する。具体的には可撓性管送達要素は、挟み込みユニットによって締め付けられた状態で、２つの周囲領域のそれぞれにおいてそれぞれの屈曲点に１つの頂点、および中間領域において、具体的には可撓性管送達要素の送達のない状態で、それぞれの屈曲点に３つの頂点を有する。
【００１０】
可撓性管送達要素の送達方向は、好ましくは可撓性管送達要素の長手方向軸に対して少なくとも実質的に平行に、具体的には同軸に延在する。好ましくは、可撓性管送達要素は長手方向軸を中心に回転対称に構成される。しかし可撓性管送達要素は、長手方向軸に対して当業者により適切であるとみなされる異なる対称性を有することも考えられる。「少なくとも実質的に平行」は、本明細書では具体的には基準方向、具体的には平面に対する方向の向きを意味し、方向は基準方向から具体的には８°未満だけ、好都合には５°未満だけ、特に好都合には２°未満だけ屈折する。可撓性管送達要素が挟み込みユニットに挟み込まれたときの可撓性管送達要素の状態において、好ましくは可撓性管送達要素の内壁の当接しない内壁領域によって範囲を定められる可撓性管送達要素の内断面は、媒体を送達するために送達空間を画定する。媒体、具体的には流体を送達するために、可撓性管送達要素は、駆動力の影響下で、具体的には挟み込みユニット内に挟み込まれた状態で、変形する、具体的には弾性的に変形するように構成されることが好ましい。可撓性管送達要素は、好ましくは可撓性管送達要素の変形、具体的には反復可能な弾性的変形によって、媒体が送達空間から出て、かつ／または送達空間を通って送達できるように構成される。好ましくは、可撓性管送達要素は膨張した弾性可撓性管として具現化される。
【００１１】
本発明による一形態により、可撓性管送達要素の緩やかな締付が可能になる。送達中に生じて、繰り返される押しつぶし（Ｆｏｅｒｄｅｒｕｎｇ）に起因する、可撓性管送達要素の周囲領域における負荷は、媒体を送達するための本発明による締付装置により、可撓性管送達要素が中間領域のみで繰り返し弾性的に変形するように、低レベルに保たれる。さらに、可撓性管送達要素を締め付けることによる媒体の効果的な送達が可能である。
【００１２】
好ましくは、凸状当接要素は、可撓性管送達要素が凸状当接要素に当接した状態で、具体的には挟み込みユニット内に挟み込まれた状態で、可撓性管送達要素を全体として湾曲させるように構成される。可撓性管送達要素は、好ましくは凸状当接要素に当接し、可撓性管送達要素の外面は、具体的には可撓性管送達要素が挟み込みユニットによって締め付けられた状態で、可撓性管送達要素の送達空間から離れる。凸状当接要素は一体的に締付要素に成形される。「一体的に構成」とは、具体的には少なくとも物質と物質の付着により、例えば溶接法、接着法、押出成形法および／または当業者により適切であるとみなされる別法の処理によって連結され、ならびに／あるいは例えば１つの鋳造からの製造により、および／または１つの構成要素もしくは複数の構成要素の射出成形法の製造により、また有利なことに単一素材から、一体に形成されることを意味する。本発明による一形態では、構造的に単純な様式で可撓性管送達要素を緩やかに締め付けることができる。有利なことに、可撓性管送達要素を湾曲して締め付けることは、好ましくは送達中に発生し繰り返される押しつぶしに起因する、可撓性管送達要素の周囲領域における負荷を好都合に低レベルに保つことを可能にする。
【００１３】
挟み込みユニットは少なくとも締付要素を含み、締付要素は具体的には駆動ユニットの駆動要素と異なるように構成され、また締付要素は凸状当接要素を含み、凸状当接要素は可撓性管送達要素のために当接面を形成し、凸状当接要素は少なくとも１つの部分領域内に凹状陥没部を含むことがさらに提案される。好ましくは、凸状当接要素の凹状陥没部は凸状当接要素の領域に配置され、領域内で媒体を送達するために、駆動ユニットの駆動要素は可撓性管送達要素に作用する。可撓性管送達要素は、具体的には可撓性管送達要素の少なくとも１つの部分領域内で、駆動力の付与により、具体的には可撓性管送達要素により媒体を送達するために、凹状陥没部に向かって動くことができる。好ましくは、駆動力の付与時の可撓性管送達要素の状態において、可撓性管送達要素の少なくとも対向する２つの部分領域は、具体的には可撓性管送達要素内に存在する媒体を移動させるために、凹状陥没部の少なくとも一部に配置される。好ましくは、可撓性管送達要素は変形可能であり、具体的には媒体を送達するために、可撓性管送達要素が凸状当接要素の凹状陥没部に向かって動くことができ、また具体的には凹状陥没部の中に少なくとも一部が動くことができるような方法で、繰り返し弾性的に変形可能である。したがって媒体の動的送達または媒体の移動送達が可能である。本発明による一形態により、媒体の効率的な送達は、可撓性管送達要素の締付により可能である。さらに、可撓性管送達要素の緩やかな締付を構造的に単純な方式で可能にする。有利なことに、可撓性管送達要素を湾曲して締め付けることは、好ましくは送達中に発生し繰り返される押しつぶしによってもたらされる、可撓性管送達要素の周囲領域における負荷を好都合に低レベルに保つことができる。
【００１４】
また可撓性管送達要素の送達方向に対して横断する方向に延びる断面において、凸状当接要素の凹状陥没部は凸状当接要素の３つの円弧部によって範囲を定められ、３つの円弧部は凸状当接要素の部分領域内に配置され、互いに直接繋がることも提案される。好ましくは凸状当接要素の部分領域は、駆動ユニットの駆動要素の作用領域と実質的に位置合わせするように配置され、駆動ユニット内で可撓性管送達要素を介して媒体を送達するために、駆動要素は、具体的には可撓性管送達要がポンプ装置に配置されるときの締付装置の状態で、可撓性管送達要素に作用する。凸状当接要素は、有利なことに断面で見ると、少なくとも部分領域内で波形状の構成を特徴とし、具体的には波底、具体的には凹状陥没部が２つの波頭の間に形成される。２つの円弧部は具体的に波頭を形成し、１つの円弧部は波底を形成する。特に好ましくは、断面は送達方向に対して少なくとも実質的に直交する面に延在する。好ましくは、凸状当接要素の剛壁の円弧部は、送達方向に対して少なくとも実質的に直交する面に延在する。可撓性管送達要素を締め付けることにより、本発明による構成は、有利なことに媒体の効率のよい送達を可能にする。さらに可撓性管送達要素の緩やかな締付を構造的に単純な様式で可能にする。有利なことに可撓性管送達要素の湾曲した締付は、好ましくは送達中に発生し繰り返される押しつぶしによってもたらされる、可撓性管送達要素の周囲領域における負荷を低レベルに保つことができる。
【００１５】
この他に、挟み込みユニットは少なくとも締付要素および少なくとも１つのさらなる締付要素を含み、さらなる締付要素は締付要素と一緒に作用し、少なくとも凹状陥没部の範囲を定め、凹状陥没部内で締付要素の少なくとも凸状当接要素は、締付要素およびさらなる締付要素が互いに連結された状態で少なくとも部分的に係合することが提案される。可撓性管送達要素を締め付けるために、締付要素およびさらなる締付要素は、具体的には挟み込みユニットの連結平面において互いに固着できることが好ましい。締付要素およびさらなる締付要素を互いに固着させるために、締付装置は、好ましくは少なくとも１つの固着ユニットを含む。固着ユニットは、当業者により適切であるとみなされるあらゆる構成、例えばネジ固着ユニット、締付固着ユニット、または差込固着ユニットなどを有してもよい。好ましくは、可撓性管送達要素は、挟み込まれた状態で、さらなる締付要素の凹状陥没部内に凸状当接要素を用いて少なくとも一部を配置することができる。さらなる締付要素の凹状陥没部は、好ましくは少なくとも１つの貫通部を含み、貫通部を通して駆動ユニットの駆動要素は、挟み込みユニット内に配置された可撓性管送達要素に作用してもよい。好ましくは、凸状当接要素は、締付要素およびさらなる締付要素が互いに連結される連結平面に、また連結平面を超えて延在し、具体的にはさらなる締付要素の凹状陥没部の中に延在する。締付要素およびさらなる締付要素は、好ましくは締付顎部として具現化される。しかし締付要素およびさらなる締付要素は、当業者により適切であるとみなされる異なる構成を有することも考えられる。本発明による形態は、可撓性管送達要素の緩やかな締付を構造的に単純な様式で可能にする。有利なことに、可撓性管送達要素を湾曲して締め付けることは、好ましくは送達中に発生し繰り返される押しつぶしによってもたらされる、可撓性管送達要素の周囲領域における負荷を低レベルに保つことができる。
【００１６】
締付要素は、好ましくは少なくとも１つのさらになる傾斜した締付面、具体的には連結平面に対して傾斜したさらなる締付面を含む。締付面は、好ましくは凸状当接要素と一体に構成される。さらなる締付面は、好ましくは凸状当接要素と一体に構成される。締付面およびさらなる締付面は、好ましくは具体的には１８０°未満であり、具体的には４５°を超え、好ましくは６０°を超え、特に好ましくは９０°を超える角度を含む。好ましくは、締付面およびさらなる締付面は１８０°〜１００°の角度を含む。具体的には、締付要素の締付面およびさらなる締付面は凸状当接要素の凹状陥没部の範囲を定める。有利なことに締付要素は少なくとも１つの接着要素を含み、接着要素は締付面に配置される。接着要素は、突起として、脈理面として、粗面として、フックとして、大きい摩擦係数をもつ接着剤塗布として、粘着剤塗布として、または当業者により適切であるとみなされ、締付面に沿った可撓性管送達要素の動きに逆らう、具体的には送達方向に対して横断する方向に作用するために、可撓性管送達要素が挟み込みユニットによって挟み込まれた状態で、可撓性管送達要素に接着力が加わるように構成された、あらゆる他の接着要素であってもよい。好ましくは、締付要素はさらなる接着要素を含み、さらなる接着要素はさらなる締付面に配置される。具体的には、さらなる接着要素は、接着要素に少なくとも実質的に類似した構成を有する。本発明による形態は、構造の観点から、好ましくは送達中に発生し繰り返される押しつぶしによってもたらされる、可撓性管送達要素の周囲領域における負荷を低レベルに保つために、可撓性管送達要素を湾曲して締め付けることができる。有利なことに、挟み込みユニットによって可撓性管送達要素を固定して挟み込むことができる。
【００１７】
挟み込みユニットは、少なくとも１つの締付要素および少なくとも１つのさらなる締付要素を含み、さらなる締付要素は締付要素と一緒に作用し、締付要素およびさらなる締付要素は、それぞれが少なくとも１つの傾斜した締付面、具体的には連結平面に対して傾斜した締付面を含み、前記傾斜した締付面は互いに対応するように構成されることがさらに提案される。さらなる締付要素は、少なくとも１つのさらなる傾斜した締付面、具体的には連結平面に対して傾斜したさらなる締付面を含む。さらなる締付要素の締付面および／またはさらなる締付面は、好ましくはさらなる締付要素を備えた一部品の構成において具現化される。さらなる締付要素の締付面およびさらなる締付面は、好ましくは具体的には１８０°未満であり、具体的には４５°を超え、好ましくは６０°を超え、特に好ましくは９０°を超える角度を含む。好ましくは、さらなる締付要素の締付面およびさらなる締付面は１８０°〜１００°の角度を含む。さらなる締付要素は有利なことに少なくとも１つの接着要素を含み、接着要素はさらなる締付要素の締付面に配置される。さらなる締付要素の接着要素は突起として、脈理面として、粗面として、フックとして、大きい摩擦係数をもつ接着剤塗布として、粘着剤塗布として、または当業者により適切であるとみなされ、締付面に沿った可撓性管送達要素の動きに逆らう、具体的には送達方向に対して横断する方向に作用するために、可撓性管送達要素が挟み込みユニットによって挟み込まれた状態で、可撓性管送達要素に接着力が加わるように構成された、あらゆる他の接着要素であってもよい。好ましくは、さらなる締付要素はさらなる接着要素を含み、さらなる接着要素はさらなる締付要素のさらなる締付面に配置される。具体的には、さらなる接着要素は、接着要素に少なくとも実質的に類似した構成を有する。特に好ましくは、可撓性管送達要素が挟み込みユニット内に挟み込まれた状態で、可撓性管送達要素は締付要素の締付面とさらなる締付面との間、およびさらなる締付要素の締付面とさらなる締付面との間に配置される。好ましくは、可撓性管送達要素が挟み込みユニット内に挟み込まれた状態で、可撓性管送達要素は、締付要素の締付面およびさらなる締付面、ならびにさらなる締付要素の締付面およびさらなる締付面に当接する。本発明による形態は、挟み込みユニットによって可撓性管送達要素を固定して締め付けることができる。構造の観点から、好ましくは送達中に発生し繰り返される押しつぶしによってもたらされる、可撓性管送達要素の周囲領域における負荷を低レベルに保つために、可撓性管送達要素を湾曲して締め付けることができる。
【００１８】
その上、さらなる締付要素の少なくとも傾斜した締付面は少なくとも１つの凹状陥没部の範囲を定め、可撓性管送達要素は少なくとも１つが締め付けられた状態で凹状陥没部の中に少なくとも一部を突起することが提案される。さらなる締付要素の締付面および／またはさらなる締付面は、好ましくはさらなる締付要素の凹状陥没部の範囲を定め、可撓性管送達要素は少なくとも１つが締め付けられた状態で凹状陥没部の中に少なくとも一部を突起する。本発明による形態によって、挟み込みユニットによって可撓性管送達要素を固定して締め付けることができる。構造の観点から、好ましくは送達中に発生し繰り返される押しつぶしによってもたらされる、可撓性管送達要素の周囲領域における負荷を低レベルに保つために、可撓性管送達要素を湾曲して締め付けることができる。
【００１９】
さらに本発明による少なくとも１つの締付装置を備え、少なくとも１つの可撓性管送達要素を備え、また可撓性管送達要素に作用する駆動力を発生するための少なくとも１つの駆動ユニットを備えた送達装置、具体的にはポンプ装置が提案される。また送達装置は、締付装置によって締付可能な複数の可撓性管送達要素を含むことも考えられる。締付装置は、駆動ユニットを用いて、具体的には駆動要素を用いて、駆動力がすべての挟み込まれた可撓性管送達要素に付与されるような方法で、複数の可撓性管送達要素を締め付けるように構成されてもよい。好ましくは、可撓性管送達要素は、可撓性管送達要素が進行波の原理（例えば（特許文献１）（欧州特許第１３１７６２６号明細書）の開示を参照）に従う媒体の送達を促進できるような方法で、駆動ユニットを用いて駆動することができる。駆動ユニットは、機械的駆動ユニット、磁気駆動ユニット、圧電駆動ユニット、油圧駆動ユニット、空気圧駆動ユニット、電気駆動ユニット、磁性粘性駆動ユニット、炭素管駆動ユニット、上記の型のあらゆる駆動ユニットの組合せ、または当業者により適切であるとみなされる異なる駆動ユニットであってもよい。好ましくは、駆動ユニットは、可撓性管送達要素に作用するように構成され、具体的には可撓性管送達要素への駆動力の作用により、可撓性管送達要素の弾性的変形をもたらすように構成された、少なくとも１つの駆動要素を含む。駆動要素は、例えばタペット、突起、螺旋体、小塊、圧電要素、磁石、または偏心体などのような、当業者により適切であるとみなされるあらゆる構成であってもよい。駆動ユニットは、好ましくは少なくとも１つの電気モータユニットを含み、電気モータユニットは具体的には少なくとも駆動要素を駆動するように構成される。しかし駆動ユニットは、当業者により適切であるとみなされる異なるモータユニット、例えば燃焼モータユニット、またはハイブリッドモータユニットなども考えられる。送達装置は、好ましくは少なくとも１つの筐体ユニットを含み、筐体ユニットの上に締付装置を配置することができ、具体的には締付装置を交換可能な方法で配置することができる。
【００２０】
駆動ユニットは、好ましくは螺旋駆動ユニットとして、または偏心駆動ユニットとして構成される。「螺旋駆動ユニット」とは、本明細書では具体的には少なくとも１つの螺旋状駆動要素を含むと理解される駆動ユニットであり、螺旋状駆動要素は具体的には駆動力の付与、具体的には可撓性管送達要素に駆動力を直接付与するように構成される。しかし駆動ユニットは、例えば数珠型駆動ユニット、または冠歯車駆動ユニットなどのような、当業者により適切であるとみなされる異なる構成も考えられる。「数珠型駆動ユニット」とは、本明細書では具体的には少なくとも１つの力作用要素を含むと理解される駆動ユニットであり、力作用要素は具体的には循環駆動で、具体的には可撓性管送達要素に駆動力が作用するために、具体的には駆動力を直接作用するために駆動することができ、可撓性管送達要素に駆動力を作用させるために、具体的には力作用要素は、循環平面、具体的には力作用要素が循環作動で駆動できる循環平面に少なくとも実質的に平行に延在する。「冠歯車駆動ユニット」とは、本明細書では具体的には少なくとも１つの駆動要素を含むと理解される駆動ユニットであり、駆動要素は、具体的には可撓性管送達要素に駆動力が作用するために、具体的には駆動力が直接作用するために、回転して駆動可能な冠歯車要素上に配置され、可撓性管送達要素に駆動力が作用するために、具体的には駆動要素は冠要素の回転軸に少なくとも実質的に平行に延在する。
【００２１】
駆動ユニットは、好ましくは螺旋体として具現化される少なくとも１つの駆動要素、または偏心体として具現化される少なくとも１つの駆動要素を含む。好ましくは、駆動要素は、可撓性管送達要素に直接作用するように構成される。しかし少なくとも１つまたは複数のさらなる要素が、駆動要素と、例えば摩擦低減要素、支持要素、または可撓性管送達要素に駆動要素が作用する際に可撓性管送達要素の外面を緩やかに取り扱うように構成された、緩やかに処理する要素などのような可撓性管送達要素との間に配置されることも考えられる。駆動螺旋体として構成される場合、駆動要素は、例えば円形片状断面、波状断面、具体的には少なくとも２つの波頭および１つの波底を備えた波状断面を有する１つまたは複数の螺旋要素を含んでもよく、波頭は同じまたは異なる最大高さを有してもよい。螺旋要素は、バネ弾性材料から、または駆動要素の基部本体と同じ材料から形成されてもよい。また当業者により適切であるとみなされる駆動要素のさらなる構成も考えられる。有利なことに駆動ユニットの少なくとも１つの駆動軸は、可撓性管送達要素の送達方向に、具体的には送達空間における送達方向に少なくとも実質的に平行に延在する。駆動ユニットが螺旋駆動ユニットとして、または偏心駆動ユニットとして構成される場合、螺旋体として構成された駆動要素、または偏心体として構成された駆動要素の回転軸は、駆動ユニットの駆動軸を形成し、好ましくは送達空間における送達方向に少なくとも実質的に平行に延在する。好ましくは、駆動ユニットの電気モータユニットのロータ要素の回転軸は、送達空間における送達方向に少なくとも実質的に平行に延在する。電気モータユニットのロータ要素の回転軸は、好ましくはさらなる駆動軸を形成し、さらなる駆動軸は送達空間における送達方向に少なくとも実質的に平行に延在する。
【００２２】
好ましくは、ポンプ装置は、可撓性管送達要素を介して送達可能な媒体、具体的には流体を保管するための少なくとも１つの送達媒体保管ユニットを含む。「送達媒体保管ユニット」とは、本明細書では具体的には少なくとも１つの保管空間を含むと理解されるユニットであり、保管空間内に媒体、具体的には流体を保管することができる。好ましくは、送達媒体保管ユニットの保管空間の容積は、少なくとも送達空間の容積より大きい。好ましくは、送達媒体保管ユニットはタンク状に具現化される。送達媒体保管ユニットは、本明細書ではカプセルとして、アンプルとして、またはカートリッジなどとして構成されてもよい。送達媒体保管ユニットは、好ましくは送達空間と流体連結される。好ましくは、送達媒体保管ユニットの出口は、送達装置の少なくとも１つのチャネルにより、具体的には可撓性管送達要素により送達空間の送達空間の入口と連結され、具体的には液密に連結される。したがって有利なことに、送達媒体保管ユニットの保管空間内に保管された媒体を可撓性管送達要素との協働により保管空間から出して搬送することができる。
【００２３】
ポンプ装置は、好ましくは医療分野で使用するように構成される。しかしポンプ装置は、例えば食品部門、化学分野、薬剤部門、具体的にはバッチ形成使用のため、動物施設部門（水族館、その他）、家庭用機器の分野、または歯科衛生分野などのような他の分野で使用するように構成されることも考えられる。本発明による構成により、有利なことに可撓性管送達要素を挟み込むことによって媒体の効率的な送達を可能にする。
【００２４】
挟み込みユニットは、少なくとも締付要素および少なくとも１つのさらなる締付要素を含み、さらなる締付要素は締付要素と一緒に作用し、またさらなる締付要素は少なくとも１つの凹状陥没部の範囲を定め、可撓性管送達要素に駆動力を付与するために、駆動ユニットの少なくとも駆動要素は凹状陥没部内で少なくとも部分的に係合することがさらに提案される。好ましくは、駆動ユニットの駆動要素は螺旋体として構成され、さらなる締付要素の凹状陥没部内で少なくとも部分的に係合する。本発明による形態により、有利なことに媒体の効率的な送達を可能にする。その上、送達装置の小型の構成も有利である。
【００２５】
本発明による締付装置および／または本発明による送達装置は、本明細書では上記の用途および構成に限定されない。具体的には本明細書に記載された機能性を遂行するために、本発明による締付装置および／または本発明による送達装置は、多数のそれぞれの要素、構造的構成要素およびユニット、ならびに本明細書に与えられた数と異なる方法ステップを含んでもよい。その上、本開示における値の範囲について、挙げられた範囲内の値が要件に従って開示され、挿入可能であることも考えられる。
【００２６】
さらなる利点は図面の以下の記載から明らかになろう。図面は本発明の例示的実施形態を示す。図面、説明および特許請求の範囲は、複数の特徴の組合せを含有する。また当業者は意図的に特徴を別個に考え、さらに好都合な組合せを見出すであろう。
【図面の簡単な説明】
【００２７】
【図１】本発明による少なくとも１つの締付装置を備えた、本発明による送達装置の概略図である。
【図２】本発明による少なくとも１つの部分的に取り外された締付装置を備えた、本発明による送達装置の概略図である。
【図３】本発明による送達装置の可撓性管送達要素が挟み込まれた状態における、本発明による締付装置の断面の概略図である。
【図４】本発明による送達装置の可撓性管送達要素が締め付けられていない状態における、本発明による締付装置の断面の概略図である。
【図５】挟み込みユニット内に配置された可撓性管送達要素を備えた、本発明による締付装置の挟み込みユニットの詳細を模式化した図である。
【図６】挟み込みユニット内に配置された可撓性管送達要素なしの、本発明による締付装置の挟み込みユニットの詳細を模式化した図である。
【発明を実施するための形態】
【００２８】
図１は送達装置１２を示し、送達装置１２は、少なくとも１つの締付装置１０を備え、また送達装置１２の少なくとも１つの可撓性管送達要素１６、１８に作用する駆動力を発生するための少なくとも１つの駆動ユニット２０を備える。送達装置１２は、ポンプ装置として、具体的には可撓性管ポンプ装置として実施される。図１に示された例示的実施形態では、わかりやすくするために、送達装置１２は筐体ユニットなしで示されている。送達装置１２の筐体ユニットは、当業者に適切であるとみなされるあらゆる形態を特徴としてもよい。具体的には当業者に周知の方式で、筐体ユニットは送達装置１２の構成要素を少なくとも部分的に包む、かつ／または支持するように構成される。図１に示された例示的実施形態では、送達装置１２の基部プレート６４が示されており、筐体ユニットは基部プレート６４の上に固定することができる。
【００２９】
駆動ユニット２０の制御および／または調整のために、送達装置１２は、当業者にすでに公知の構成を有する、少なくとも１つの制御および／または調整ユニット５６を含む。駆動ユニット２０は、螺旋駆動ユニットとして、または偏心駆動ユニットとして構成される。駆動ユニット２０の駆動要素２６の少なくとも１つの駆動軸５８は、送達装置１２の少なくとも１つの可撓性管送達要素１６、１８の送達方向２２、２４に少なくとも実質的に平行に、具体的には可撓性管送達要素１６、１８の少なくとも１つの送達空間を通る送達方向２２、２４に少なくとも実質的に平行に延在する。駆動要素２６は、駆動螺旋体として、または偏心シャフト（図２）として構成される。駆動要素２６は送達装置１２の筐体ユニット（ここには図示されていない）内で、または基部プレート６４上で、当業者にすでに公知の手法で回転可能に支持される。駆動軸５８は駆動要素２６の回転軸として構成される。媒体を送達するために、駆動要素２６は、具体的には可撓性管送達要素１６、１８が締付装置１０の挟み込みユニット１４によって挟み込まれた状態で、少なくとも１つの可撓性管送達要素１６、１８を弾性的に偏向させ、かつ／または変形させるように構成される。可撓性管送達要素１６、１８は、弾性的に変形可能なように形成される。駆動要素２６は、可撓性管送達要素１６、１８の長手方向軸に沿って可撓性管送達要素１６、１８の進行波の動きを発生するように構成される。駆動要素２６は可撓性管送達要素１６、１８に直接作用し、または駆動要素２６が直接作用する送達装置１２の励起要素（ここでは詳しく示されていない）は、駆動要素２６と可撓性管送達要素１６、１８との間に配置され、励起要素は、駆動力の作用を少なくとも一部が励起要素に隣接する可撓性管送達要素１６、１８に伝えると考えられる。図１に示された例示的実施形態では、締付装置１０の２つの挟み込みユニット１４は、駆動要素２６の周囲に振り分けて配置されている。しかし締付装置１０は１つまたは２つが異なる複数の挟み込みユニット１４を含み、その挟み込みユニット１４が少なくとも１つの可撓性管送達要素１６、１８のそれぞれを挟み込むように構成されることも考えられる。好ましくは、締付装置１０のすべての挟み込みユニット１４は少なくとも実質的に類似した構成を特徴とする。
【００３０】
駆動要素２６の動き、具体的には回転のために、駆動ユニット２０は少なくとも１つのモータユニット６０を含む。モータユニット６０は電気モータユニットとして構成される。しかしモータユニット６０は、例えば燃焼モータユニットとして、またはハイブリッドモータユニットなどのような、当業者により適切とみなされる異なる構成を特徴とすることも考えられる。駆動要素２６はモータユニット６０のロータシャフト６２に直接、具体的には回転可能に固着される手法で、または間接的に、例えば送達装置１２のギアユニットを用いて、もしくは送達装置１２の少なくとも１つの歯車要素によって連結されてもよい。ロータシャフト６２は、駆動要素２６の駆動軸５８に少なくとも実質的に平行に、具体的には同軸に延在する回転軸を有する。例えば角度が付いたギアユニットを用いて、もしくは切り替え可能なクラッチなどによる、駆動要素２６とモータユニット６０との間の連結の他の構成および／または配置も考えられる。送達装置１２は、送達される媒体を保管するために少なくとも１つの送達媒体保管ユニット（ここでは詳しく示されていない）をさらに含み、媒体を送達するために、送達媒体保管ユニットは少なくとも可撓性管送達要素１６、１８に連結される。
【００３１】
図３は締付装置１０の断面図を示す。送達装置１２のための締付装置１０は、送達装置１２の少なくとも１つの可撓性管送達要素１６、１８を締め付けるための少なくとも１つの挟み込みユニット１４を含む。媒体を送達するために、送達装置１２の駆動ユニット２０を用いて、可撓性管送達要素１６、１８に対して駆動力を少なくとも挟み込みユニット１４内に配置された状態で加えることができる。挟み込みユニット１４は、可撓性管送達要素１６、１８の送達方向２２、２４に対して横断する方向に延びる断面において、可撓性管送達要素１６、１８が全体として湾曲するような方法で、可撓性管送達要素１６、１８を締め付けるように構成される。図３では、挟み込みユニット１４によって締め付けられた可撓性管送達要素１６、１８は、送達のない状態で示されている。挟み込みユニット１４は、可撓性管送達要素１６、１８の送達方向２２、２４に対して横断する方向に延びる断面において、可撓性管送達要素１６、１８が全体として少なくとも実質的に弧形状であるような方法で可撓性管送達要素１６、１８を締め付けるように構成されることが好ましく、具体的には可撓性管送達要素１６、１８の、対向する内壁領域は互いに当接する。好ましくは、可撓性管送達要素１６、１８は、挟み込みユニット１４によって締め付けられた状態で、少なくとも中間領域内に弧状形状を有する。中間領域に隣接し、またその中で具体的には可撓性管送達要素１６、１８の内壁の全延長部の少なくとも５０％超は互いに当接する、可撓性管送達要素１６、１８の周囲領域は、中間領域から始まり中間領域から接線方向に離れて延在する。
【００３２】
好ましくは、挟み込みユニット１４内に挟み込むことによって、可撓性管送達要素１６、１８は、その送達方向２２、２４に対して横断する方向に延びる断面において、円形状（図４参照）から、湾曲した、具体的には弧形状に形状が移行し、その状態で可撓性管送達要素１６、１８の内壁部の少なくとも一部が互いに当接する（図３）。
【００３３】
挟み込みユニット１４は少なくとも１つの締付要素２８、３０を含み、少なくとも１つの締付要素２８、３０は、具体的には駆動ユニット２０の駆動要素２６とは異なるように構成され、また少なくとも１つの締付要素２８、３０は、可撓性管送達要素１６、１８に対して当接面を形成する凸状当接要素３２を含む。凸状当接要素３２は、その少なくとも一部の領域に凹状陥没部３４を含む。可撓性管送達要素１６、１８の送達方向２２、２４に対して横断する方向に延びる断面において、凸状当接要素３２の凹状陥没部３４は、凸状当接要素３２の３つの円弧状部３６、３８、４０によって範囲を定められ、３つの円弧状部３６、３８、４０は凸状当接要素３２の一部の領域に配置され、互いに直接繋がる。挟み込みユニット１４は、少なくとも締付要素２８、３０および少なくとも１つのさらなる締付要素４２、４４を含み、少なくとも１つのさらなる締付要素４２、４４は、締付要素２８、３０と一緒に作用し、少なくとも１つの凹状陥没部４６の範囲を定め、少なくとも凸状当接要素３２は、締付要素２８、３０およびさらなる締付要素４２、４４が互いに連結された状態で、凹状陥没部４６内で少なくとも部分的に係合する。さらなる締付要素４２、４４は少なくとも凹状陥没部４６の範囲を定め、駆動ユニット２０の少なくとも駆動要素２６は、可撓性管送達要素１６、１８に駆動力を作用させるために凹状陥没部４６内で少なくとも部分的に係合する。
【００３４】
可撓性管送達要素１６、１８を挟み込むために、締付要素２８、３０およびさらなる締付要素４２、４４は、具体的には挟み込みユニット１４の連結平面６８において互いに固着可能であることが好ましい。締付要素２８、３０およびさらなる締付要素４２、４４を互いに固着するために、締付装置１０は、好ましくは少なくとも１つの固着ユニット６６（図１、５および６）を含む。固着ユニット６６は、例えばネジ固着ユニットとして、締付固着ユニットとして、または差込固着ユニットなどとして、当業者により適切であるとみなされるあらゆる構成を有してもよい。好ましくは、可撓性管送達要素１６、１８は、挟み込まれた状態で、凸状当接要素３２を用いてさらなる締付要素４２、４４の凹状陥没部４６内に少なくとも一部を配置することができる。さらなる締付要素４２、４４の凹状陥没部４６は、好ましくは少なくとも１つの貫通部８２を含み、貫通部８２を通して駆動ユニット２０の駆動要素２６は、挟み込みユニット１４内に配置された可撓性管送達要素１６、１８に作用することができる。凸状当接要素３２は、好ましくは連結平面６８の上に、また連結平面６８を超えて延在し、連結平面６８において締付要素２８、３０およびさらなる締付要素４２、４４が互いに、具体的にはさらなる締付要素４２、４４の凹状陥没部４６の中で連結される。締付要素２８、３０およびさらなる締付要素４２、４４は、好ましくは締付顎部として構成される。しかし締付要素２８、３０および／またはさらなる締付要素４２、４４は、当業者により適切であるとみなされる異なる構成を有することも考えられる。
【００３５】
締付要素２８、３０は、少なくとも１つの傾斜した締付面４８、具体的には連結平面６８に対して傾斜した締付面４８を含む。好ましくは、締付要素２８、３０は少なくとも１つのさらなる傾斜した締付面５０、具体的には連結平面６８に対して傾斜したさらなる傾斜した締付面５０を含む。締付要素２８、３０の締付面４８は、好ましくは凸状当接要素３２と一体に形成される。締付要素２８、３０のさらなる締付面５０は、好ましくは凸状当接要素３２と一体に形成される。締付要素２８、３０の締付面４８およびさらなる締付面５０は、好ましくは具体的には１８０°未満であり４５°を超える角度を含む。具体的には、締付要素２８、３０の締付面４８およびさらなる締付面５０は凸状当接要素３２の凹状陥没部３４の範囲を定める。有利なことに締付要素２８、３０は少なくとも１つの接着要素７０を含み、接着要素７０は締付要素２８、３０の締付面４８（図４〜６）上に配置される。接着要素７０は、締付面４８に沿った可撓性管送達要素１６、１８の動きに逆らう、具体的には送達方向２２、２４に対して横断する方向に作用するために、挟み込みユニット１４によって締め付けられた状態で、可撓性管送達要素１６、１８に接着力が加わるように構成される。好ましくは、締付要素２８、３０はさらなる接着要素７２を含み、さらなる接着要素７２は締付要素２８、３０のさらなる締付面５０に配置される。具体的には、さらなる接着要素７２は、接着要素７０に少なくとも実質的に類似した構成を特徴とする。好ましくは、締付要素２８、３０は複数の接着要素７０およびさらなる接着要素７２を含み、複数の接着要素７０およびさらなる接着要素７２は、締付要素２８、３０の締付面４８およびさらなる締付面５０に配置される。
【００３６】
挟み込みユニット１４は、少なくとも締付要素２８、３０および少なくともさらなる締付要素４２、４４を含み、さらなる締付要素４２、４４は締付要素２８、３０と一緒に作用し、締付要素２８、３０およびさらなる締付要素４２、４４は、それぞれが少なくとも１つの傾斜した締付面４８、５０、５２、５４を含み、締付面４８、５０、５２、５４は互いに対応するように構成される。さらなる締付要素４２、４４は、少なくとも１つの傾斜した締付面５２、具体的には連結平面６８に対して傾斜した締付面５２を含む。さらなる締付要素４２、４４は、少なくとも１つのさらなる傾斜した締付面５４、具体的には連結平面６８に対して傾斜した締付面５４を含む。さらなる締付要素４２、４４の締付面５２および／またはさらなる締付面５４は、好ましくはさらなる締付要素４２、４４と一体の構成において具現化される。さらなる締付要素４２、４４の締付面５２および／またはさらなる締付面５４は、好ましくはさらなる締付要素４２、４４の少なくとも凹状陥没部４６の範囲を定め、可撓性管送達要素１６、１８は少なくとも１つが締め付けられた状態で少なくとも一部が凹状陥没部４６の中に突起する。
【００３７】
有利なことに、さらなる締付要素４２、４４は少なくとも１つの接着要素７４を含み、接着要素７４はさらなる締付要素４２、４４の締付面５２（図４〜６）に配置される。接着要素７４は、締付面５２に沿った可撓性管送達要素１６、１８の動きに逆らう、具体的には送達方向２２、２４に対して横断する方向に作用するために、挟み込みユニット１４によって締め付けられた状態で、可撓性管送達要素１６、１８に接着力が加わるように構成される。好ましくは、さらなる締付要素４２、４４はさらなる接着要素７６を含み、さらなる接着要素７６はさらなる締付要素４２、４４のさらなる締付面５４に配置される。具体的には、さらなる接着要素７６は、接着要素７４に少なくとも実質的に類似した構成を有する。
【００３８】
特に好ましくは、挟み込みユニット１４によって挟み込まれた状態で、可撓性管送達要素１６、１８は、締付要素２８、３０の締付面４８とさらなる締付面５０との間、およびさらなる締付要素４２、４４の締付面５２とさらなる締付面５４との間に配置される。好ましくは、挟み込みユニット１４によって締め付けられた状態で、可撓性管送達要素１６、１８は、締付要素２８、３０の締付面４８およびさらなる締付面５０に、ならびにさらなる締付要素４２、４４の締付面５２およびさらなる締付面５４に隣接する。
【００３９】
締付要素２８、３０は少なくとも１つの送入開口７８を含み、送入開口７８を介して可撓性管送達要素１６、１８は、締付要素２８、３０の一側面から締付要素２８、３０の別の側面に案内することができ、締付要素２８、３０の別の側面に凸状当接要素３２が配置される。締付要素２８、３０は少なくとも１つの送出開口８０を含み、送出開口８０を介して可撓性管送達要素１６、１８は、その上に凸状当接要素３２が配置される締付要素２８、３０の側面から、凸状当接要素３２に背を向ける締付要素２８、３０の他方の側面に案内することができる。送入開口７８およびさらなる送出開口８０を介して、可撓性管送達要素１６、１８は、その少なくとも一部の領域が駆動力の作用を受けないように配置することができるような方法で、具体的には可撓性管送達要素１６、１８を例えば計量ユニットに、出力ユニットに、または送達媒体保管ユニットなどに連結するために、挟み込みユニット１４に配置することができる。凸当接要素３２は、可撓性管送達要素１６、１８の送達方向２２、２４に沿って見たとき、送入開口７８と送出開口８０との間に配置されている。好ましくは可撓性管送達要素１６、１８の送達方向２２、２４に沿って見ると、送入開口７８は凸状当接要素３２の上流に配置されている。好ましくは可撓性管送達要素１６、１８の送達方向２２、２４に沿って見ると、送出開口８０は凸状当接要素３２の下流に配置されている。しかし送入開口７８および送出開口８０の逆の配置も考えられる。
【符号の説明】
【００４０】
１０…締付装置、１２…送達装置、１４…挟み込みユニット、１６…可撓性管送達要素、１８…可撓性管送達要素、２０…駆動ユニット、２２…送達方向、２４…送達方向、２６…駆動要素、２８…締付要素、３０…締付要素、３２…当接要素、３４…凹状陥没部、３６…円弧状部、３８…円弧状部、４０…円弧状部、４２…締付要素、４４…締付要素、４６…凹状陥没部、４８…締付面、５０…締付面、５２…締付面、５４…締付面、５６…制御および／または調整ユニット、５８…駆動軸、６０…モータユニット、６２…ロータシャフト、６４…基部プレート、６６…固着ユニット、６８…連結平面、７０…接着要素、７２…接着要素、７４…接着要素、７６…接着要素、７８…送入開口、８０…送出開口、８２…貫通部。
【図１】
2019520945.tif 000003
【図２】
2019520945.tif 000004
【図３】
2019520945.tif 000005
【図４】
2019520945.tif 000006
【図５】
2019520945.tif 000007
【図６】
2019520945.tif 000008
【国際調査報告】
2019520945.tif 000009
2019520945.tif 000010
2019520945.tif 000011
2019520945.tif 000012